(57)【要約】【課題】  送信すべき情報に基づく電界を電界伝達媒体に誘起させるとともに電界伝達媒体に誘起された電界を検出して情報の送受信を行うトランシーバを利用することにより、商品情報を必要とする者に対して個別に商品情報を提供する。【解決手段】  商品説明システム１００は、陳列棚として商品ｍ１が載せられた電極１、電極１と接続された、送信すべき情報に基づく電界を電界伝達媒体に誘起させるとともに電界伝達媒体に誘起された電界を検出して情報の送受信を行うトランシーバ９ａ、および該トランシーバ９ａと接続された商品説明サーバ２を有する構成となっており、トランシーバ９ｂを備えた携帯端末３を携行する利用者が商品ｍ１に触れている場合は、トランシーバ９ａおよび９ｂ間で利用者の生体を電界伝達媒体とした通信が成立するので、商品説明サーバ２が商品説明情報を携帯端末３に送信する。【選択図】      図１
2005309521.tif 000002
【特許請求の範囲】
【請求項１】
送信すべき情報に基づく電界を電界伝達媒体に誘起させるとともにこの誘起した電界を検出して情報の送受信を行うトランシーバを利用して、商品説明情報を提供する商品説明システムであって、
第１の前記トランシーバと、該第１の前記トランシーバを介して所定の信号を発信するとともに前記商品説明情報を表示する第１のコンピュータと、を備える携帯端末を携行する利用者が所定の商品に触れることにより、前記信号を受信する、前記商品を載せている電極と、
前記電極に接続された第２の前記トランシーバと、
第２の前記トランシーバを介して前記信号を受信すると、前記商品の商品説明情報を取得し、前記第１および第２のトランシーバ間の通信により前記携帯端末に、前記商品説明情報を送信する商品説明装置と、
を有することを特徴とする商品説明システム。
【請求項２】
前記電極は、平行な板状の第１の電極および第２の電極、並びこの２つの電極間を結ぶバネを備え、
前記第１の電極は、前記商品が載せられているとともに、前記第２のトランシーバと接続され、前記利用者が前記商品を持ち上げ始めても、前記バネが伸びきるまで前記商品と前記第１の電極との接触を保つように構成されていることを特徴とする請求項１記載の商品説明システム。
【請求項３】
前記電極は、前記商品を持ち上げ始めたことを検知する検知手段を有し、
前記携帯端末は、前記第１のコンピュータの代わりに、前記第１の前記トランシーバをと接続され、前記商品説明情報を表示する第２のコンピュータを備え、
前記商品説明装置は、前記商品説明情報を送信する契機を前記信号の受信の代わりに、前記検知手段からの検知情報の受信とすることを特徴とする請求項２記載の商品説明システム。
【請求項４】
前記バネは絶縁性バネであり、前記第１の電極および前記第２の電極のいずれか一方は、対向する面上の一部に所定の高さの凸部を備え、前記利用者が前記商品に触れていないときは、前記バネが縮んで前記第１および第２の電極が前記凸部を介して接し、導通状態となり、前記商品が持ち上げ始められたときは、前記バネが伸び始め、前記第１および第２の電極が離れ、非導通状態となるように構成され、
前記検知手段は、前記非導通状態を検知することを特徴とする請求項３記載の商品説明システム。
【請求項５】
前記電極は、商品ごとに複数の商品別電極を備え、
前記商品説明装置は、各商品別電極と対応付けられた商品説明情報をそれぞれを記憶しており、前記利用者が所定の商品を選択したときは、選択された商品別電極を検知し、検知した商品別電極に対応付けられた商品説明情報を取得し、該商品説明情報を送信することを特徴とする請求項４記載の商品説明システム。
【請求項６】
商品に貼付されたＩＣチップ上に構築され、送信すべき情報に基づく電界を電界伝達媒体に誘起させるとともにこの誘起した電界を検出して情報の送受信を行うトランシーバ間の通信を利用して商品説明情報を提供する商品説明システムであって、
第１の前記トランシーバと、該第１の前記トランシーバを介して所定の信号を発信するとともに前記商品説明情報を表示する第１のコンピュータと、を備える携帯端末を携行する利用者が前記商品に触れることにより、前記信号を受信する電極と、
前記電極に接続された第２の前記トランシーバと、
第２の前記トランシーバを介して前記信号を受信すると、前記商品の商品説明情報を取得し、前記第１および第２のトランシーバ間の通信により前記携帯端末に、前記商品説明情報を送信する商品説明装置と、
を有することを特徴とする商品説明システム。
【発明の詳細な説明】
【技術分野】
【０００１】
本発明は、商品説明システムに関し、特に、送信すべき情報に基づく電界を電界伝達媒体に誘起させるとともに電界伝達媒体に誘起された電界を検出して情報の送受信を行うトランシーバを用いた商品説明システムに関する。
【背景技術】
【０００２】
携帯端末の小型化および高性能化によりウェアラブルコンピュータが注目されているが、図８はこのようなウェアラブルコンピュータを人間に装着して使用する場合の例を示している。同図に示すように、ウェアラブルコンピュータ７はそれぞれトランシーバ９を介して人間の腕、肩、胴体などに装着されて互いにデータの送受信を行うとともに、更に手足の先端で触れられるよう壁や床に設けられたトランシーバ９ａ、９ｂとケーブルとを介して外部に設けられたパソコン（ＰＣ）８と通信を行うようになっている。
【０００３】
そして、このようなウェアラブルコンピュータ７間、およびウェアラブルコンピュータ７とＰＣ８とのデータ通信に使用されるトランシーバ９（９ａ、９ｂ）は、レーザ光と電気光学結晶を用いた電気光学的手法による信号検出技術を利用していて、送信すべき情報に基づく電界を電界伝達媒体である生体に誘起させ、この誘起した電界を用いて情報の送受信を行っている。
【０００４】
尚、この出願に関連する先行技術文献情報としては、次のものがある。
【特許文献１】特開２００１−３５２２９８公報
【発明の開示】
【発明が解決しようとする課題】
【０００５】
ところで、従来、商品のプロモーションビデオなどを商品売場や店頭などで流し、近くを通る人に商品説明を提供することがある。このような商品プロモーションビデオは、販売員がわざわざ商品の説明をしなくてもよいため、人的労力が削減できるという効果がある。
【０００６】
しかしながら、上記商品プロモーションビデオは、一旦ビデオが流れると、近くに人がいない場合でも商品説明を行ってしまうという問題がある。これに対しては、人感センサーなどを利用して人が通ったことを検知して、商品情報を流すという効率的なビデオシステムもあるが、基本的には不特定多数の人を対象としているため、見たくない通行人に対しても商品情報を提供してしまうという問題がある。
【０００７】
さらには、商品情報を視聴したいという人がいたとしても、上述した商品プロモーションビデオは、利用者を特定して情報を提供しているわけではないので、タイミングよくビデオの始めから視聴できるとは限らないという問題もある。
【０００８】
本発明は、上記の事情を鑑みたものであり、送信すべき情報に基づく電界を電界伝達媒体に誘起させるとともに電界伝達媒体に誘起された電界を検出して情報の送受信を行うトランシーバを利用することにより、商品情報を必要とする者に対して個別に商品情報を提供することができる商品説明システムを提供することを目的とする。
【課題を解決するための手段】
【０００９】
上記目的を達成するため、請求項１記載の本発明は、送信すべき情報に基づく電界を電界伝達媒体に誘起させるとともにこの誘起した電界を検出して情報の送受信を行うトランシーバを利用して、商品説明情報を提供する商品説明システムであって、第１の前記トランシーバと、該第１の前記トランシーバを介して所定の信号を発信するとともに前記商品説明情報を表示する第１のコンピュータと、を備える携帯端末を携行する利用者が所定の商品に触れることにより、前記信号を受信する、前記商品を載せている電極と、前記電極に接続された第２の前記トランシーバと、第２の前記トランシーバを介して前記信号を受信すると、前記商品の商品説明情報を取得し、前記第１および第２のトランシーバ間の通信により前記携帯端末に、前記商品説明情報を送信する商品説明装置と、を有することを特徴とする。
【００１０】
請求項２記載の本発明は、請求項１記載の発明において、前記電極は、平行な板状の第１の電極および第２の電極、並びこの２つの電極間を結ぶバネを備え、前記第１の電極は、前記商品が載せられているとともに、前記第２のトランシーバと接続され、前記利用者が前記商品を持ち上げ始めても、前記バネが伸びきるまで前記商品と前記第１の電極との接触を保つように構成されていることを特徴とする。
【００１１】
請求項３記載の本発明は、請求項２記載の発明において、前記電極は、前記商品を持ち上げ始めたことを検知する検知手段を有し、前記携帯端末は、前記第１のコンピュータの代わりに、前記第１の前記トランシーバをと接続され、前記商品説明情報を表示する第２のコンピュータを備え、前記商品説明装置は、前記商品説明情報を送信する契機を前記信号の受信の代わりに、前記検知手段からの検知情報の受信とすることを特徴とする。
【００１２】
請求項４記載の本発明は、請求項３記載の発明において、前記バネは絶縁性バネであり、前記第１の電極および前記第２の電極のいずれか一方は、対向する面上の一部に所定の高さの凸部を備え、前記利用者が前記商品に触れていないときは、前記バネが縮んで前記第１および第２の電極が前記凸部を介して接し、導通状態となり、前記商品が持ち上げ始められたときは、前記バネが伸び始め、前記第１および第２の電極が離れ、非導通状態となるように構成され、前記検知手段は、前記非導通状態を検知することを特徴とする。
【００１３】
請求項５記載の本発明は、請求項４記載の発明において、前記電極は、商品ごとに複数の商品別電極を備え、前記商品説明装置は、各商品別電極と対応付けられた商品説明情報をそれぞれを記憶しており、前記利用者が所定の商品を選択したときは、選択された商品別電極を検知し、検知した商品別電極に対応付けられた商品説明情報を取得し、該商品説明情報を送信することを特徴とする。
【００１４】
請求項６記載の本発明は、商品に貼付されたＩＣチップ上に構築され、送信すべき情報に基づく電界を電界伝達媒体に誘起させるとともにこの誘起した電界を検出して情報の送受信を行うトランシーバ間の通信を利用して商品説明情報を提供する商品説明システムであって、第１の前記トランシーバと、該第１の前記トランシーバを介して所定の信号を発信するとともに前記商品説明情報を表示する第１のコンピュータと、を備える携帯端末を携行する利用者が前記商品に触れることにより、前記信号を受信する電極と、前記電極に接続された第２の前記トランシーバと、第２の前記トランシーバを介して前記信号を受信すると、前記商品の商品説明情報を取得し、前記第１および第２のトランシーバ間の通信により前記携帯端末に、前記商品説明情報を送信する商品説明装置と、を有することを特徴とする。
【発明の効果】
【００１５】
本発明によれば、送信すべき情報に基づく電界を電界伝達媒体に誘起させるとともに電界伝達媒体に誘起された電界を検出して情報の送受信を行うトランシーバを利用することにより、商品情報を必要とする者に個別に商品情報を配信することができる商品説明システムを提供することができる。
【００１６】
この結果、利用者は、上記トランシーバを備える携帯端末を用いることで、興味を持った商品の紹介をその場でリアルタイムで視聴することができる。
【発明を実施するための最良の形態】
【００１７】
以下、本発明の実施の形態を図面を用いて説明する。
【００１８】
＜第１の実施の形態＞
図１は、本発明の第１の実施の形態に係る商品説明システム１００の概略構成図である。図１に示す商品説明システム１００は、陳列棚として商品ｍ１が載せられた電極１、電極１と接続されたトランシーバ９ａ、および該トランシーバ９ａと接続された商品説明サーバ２を有する構成となっており、携帯端末３を携行する利用者が商品ｍ１に触れている場合は、トランシーバ９ａおよび９ｂ間で利用者の生体を電界伝達媒体とした通信が成立するので、商品説明サーバ２が商品説明情報を携帯端末３に送信するようになっている。
【００１９】
携帯端末３は、所定の信号を送信する携行可能な装置である。さらに詳しくは、携帯端末３は、利用者の生体に触れているトランシーバ９ｂ、および該トランシーバ９ｂを介して利用者の生体に上記所定の信号を常時発信しているとともに、受信した商品説明情報を表示するコンピュータ３１を備えている。
【００２０】
ここで、トランシーバ９ａ及びトランシーバ９ｂは、詳しくは、図２（トランシーバ９ａ及び９ｂの構成及び機能は同一であるため、トランシーバ９として記述）に示すように、コンピュータ（本実施の形態においては、コンピュータ３１、商品説明サーバ２）からの送信データを入出力（Ｉ／Ｏ）回路９０１を介して受け取ると、この送信データを送信部９０２を介して送受信電極９０３に供給し、該送受信電極９０３および絶縁膜９０４を介して電界伝達媒体（本実施の形態においては、利用者の生体）に電界を誘起させ、この電界を電界伝達媒体の他の部位に伝達させるようになっている。また、電界伝達媒体に誘起されて伝達されてくる電界を絶縁膜９０４を介して送受信電極９０３で検出し、この電界を電界検出光学部９０５に結合して電気信号に変換するようになっている。そして、この電気信号は、信号処理回路９０６で増幅、雑音除去などの信号処理を施され、更に波形整形回路９０７で波形整形されてから、入出力（Ｉ／Ｏ）回路９０１を介してコンピュータ（本実施の形態においては、コンピュータ３１、商品説明サーバ２）に出力されるようになっている。
【００２１】
商品説明サーバ２は、詳しくは、商品説明情報を記憶している商品説明情報記憶部２１と、商品説明情報記憶部２１を制御する制御部２２を備え、トランシーバ９ａを介して携帯端末３からの信号を受信すると、商品説明情報記憶部２１から商品説明情報を取得して、トランシーバ９ａに送信するようになっている。
【００２２】
これにより、携帯端末３は、トランシーバ９ａ、商品ｍ１、生体およびトランシーバ９ｂを介して、商品説明情報を受け取るようになっているので、利用者は携帯端末３を利用して商品説明情報の視聴が可能となっている。尚、商品説明情報は、ストリーミング技術により、リアルタイムで表示するのが好適であるが、携帯端末３に転送してから表示するようにしてもよい。
【００２３】
次に、本実施の形態に係る商品説明システム１００の動作について、図３を用いて説明する。ここで、図３は、携帯端末３と商品説明サーバ２間の通信のやりとりを示しているシーケンス図である。
【００２４】
所定の信号を発信している携帯端末３を携行する利用者が商品ｍ１に触れると、トランシーバ９ａおよび９ｂ間の商品ｍ１および生体を介した通信が成立するので、商品説明サーバ２は、トランシーバ９ａから信号を受信する（ステップＳ１０，Ｓ２０，Ｓ３０）。これにより、商品説明サーバ２は、商品説明情報を取得し、携帯端末３に送信する（ステップＳ４０，Ｓ５０）。
【００２５】
携帯端末３は、トランシーバ９ａおよび９ｂ間の商品ｍ１および生体を介した通信により、商品説明情報を受信すると、商品説明情報を表示する（ステップＳ６０，Ｓ７０）。これにより、利用者は、商品説明情報を携帯端末３で視聴することができる。
【００２６】
従って、本実施の形態によれば、送信すべき情報に基づく電界を電界伝達媒体に誘起させるとともに電界伝達媒体に誘起された電界を検出して情報の送受信を行うトランシーバを利用することにより、商品情報を必要とする利用者に個別に商品情報を配信することができるので、利用者は、興味を持った商品の紹介をその場でリアルタイムで視聴することができる。
【００２７】
＜第２の実施の形態＞
図４は、本発明の第２の実施の形態に係る商品説明システム２００の概略構成図である。図４に示す商品説明システム２００は、陳列棚として商品ｍ１が載せられたバネ電極１１、バネ電極１１と接続されたトランシーバ９ａ、該トランシーバ９ａと接続された商品説明サーバ５、並びにバネ電極１１および商品説明サーバ５と接続されたリレースイッチ１２を有する構成となっており、携帯端末４（図示せず）を携行する利用者が商品ｍ１を持ち上げ始めようとするときは、トランシーバ９ａおよび９ｂ間で利用者の生体を電界伝達媒体とした通信が成立するとともに、バネ電極１１のバネが伸びて、リレースイッチ１２がバネ電極１１の非導通状態を検知するので、これを契機に商品説明サーバ５が、商品説明情報を携帯端末４に送信するようになっている。
【００２８】
ここで、本実施の形態におけるトランシーバ９ａおよび９ｂ間の利用者の生体を電界伝達媒体とした通信は、バネ電極１１の伸びを利用することにより、バネ電極１１と商品ｍ１との接触時間をより長く保つことができるようになっているので、商品説明システム２００は、利用者が商品ｍ１を持ち上げようとする場合にも適用できるものである。尚、本実施の形態においては、第１の実施の形態と異なる構成及び機能のみ説明し、その他の構成及び機能に関しては同一部分には同一符号を付して説明を省略する。
【００２９】
携帯端末４は、利用者がウェアラブルコンピュータとして携行可能な装置であり、さらに詳しくは、利用者の生体に触れているトランシーバ９ｂ、および該トランシーバ９ｂと接続され、受信した商品説明情報を表示するコンピュータ４１（図示せず）を備えている。
【００３０】
バネ電極１１は、詳しくは、図４（ａ）に示すように、２枚の平行な電極である上部電極１１２および下部電極１１４、上部電極１１２と下部電極１１４を結ぶ絶縁性バネ１１３、および上部電極１１２の上に被膜された絶縁膜１１１を具備する構成となっている。
【００３１】
ここで、上部電極１１２は、商品ｍ１が置かれる電極であり、トランシーバ９ａと接続されている。尚、上部電極１１２は、絶縁膜１１１を介して商品ｍ１と接する構成となっているため、商品ｍ１および生体への電流の流入を防ぐことができるようになっている。
【００３２】
絶縁性バネ１１３は、上部電極１１２と下部電極１１４の導通を防ぐためのバネであり、上面図である図４（ｂ）に示すように、４本の絶縁性バネ１１３により上部電極１１２と下部電極１１４とが接続されている。
【００３３】
下部電極１１４は、中心に凸部１１４１を有する構成となっているため、図４（ｃ）に示すように、商品ｍ１がバネ電極１１に載っていて、かつ、利用者が商品ｍ１に触れていない状態においては、絶縁性バネ１１３が縮み、上部電極１１２と下部電極１１４が凸部１１４１を介して接触するので、バネ電極１１は導通し、回路Ｃ１には電流が流れるようになっている。一方、図４（ａ）に示すように商品がバネ電極１１に載っていない状態においては、絶縁性バネ１１３は伸びて、上部電極１１２と下部電極１１４とが離れるので、バネ電極１１は非導通の状態になり、回路Ｃ１には電流が流れないようになっている。
【００３４】
このような回路Ｃ１の電流の流れを検知するのが、リレースイッチ１２であり、リレースイッチ１２は、オン状態（電流が流れている状態）およびオフ状態（電流が流れていない状態）を商品説明サーバ５に通知するようになっている。
【００３５】
商品説明サーバ５は、詳しくは、商品説明情報を記憶している商品説明情報記憶部５１と、商品説明情報記憶部５１を制御する制御部５２を備え、リレースイッチ１２から回路Ｃ１のオフ状態を検知すると、商品説明情報記憶部５１から商品説明情報を取得し、該商品説明情報をトランシーバ９ａを介して送信するようになっている。
【００３６】
これにより、利用者が商品ｍ１に触れ、かつ、商品ｍ１とバネ電極１１が接しているときは、携帯端末４は、生体およびトランシーバ９ｂを介して、商品説明情報を受け取るようになっているので、利用者は携帯端末４を利用して商品説明情報の視聴が可能となっている。
【００３７】
次に、本実施の形態に係る商品説明システム２００の動作について、図５および図６を用いて説明する。ここで、図５は、利用者が商品ｍ１を持ち上げる場合の各状態を説明する図であり、図６は、携帯端末４と商品説明サーバ５間の通信のやりとりを示しているシーケンス図である。
【００３８】
まず、初期状態（図５（ａ））、即ち、商品ｍ１が電極バネ１１に載っていて、利用者が商品ｍ１を持ち上げる前の状態においては、商品ｍ１の重さで絶縁性バネ１１３が縮んでおり、上部電極１１２と下部電極１１４とが接しているので、リレースイッチ１２はオンの状態となっている。
【００３９】
次に、このような状態で、利用者が商品ｍ１を持ち上げ始めると（図５（ｂ））、絶縁性バネ１１３が伸び始めて、上部電極１１２と下部電極１１４が離れるため、リレースイッチ１２がオフの状態になる。すると、商品説明サーバ５は、リレースイッチ１２のオフ状態から商品ｍ１が持ち上げられ始めたことを検知するので、商品説明情報を取得する（ステップＳ１１０，Ｓ１２０）。尚、この状態においては、トランシーバ９ａおよび９ｂ間の商品ｍ１および生体を介した通信は成立している（ステップＳ１３０）。
【００４０】
従って、商品説明サーバ５は、トランシーバ９ａおよび９ｂ間の通信により、商品説明情報を携帯端末４に送信する（ステップＳ１４０）。
【００４１】
そして、絶縁性バネ１１３が伸びきった状態になるまで（図５（ｃ））、トランシーバ９ａおよび９ｂ間の通信が成立しているので（ステップＳ１３０）、商品ｍ１と上部電極１１２とをより長い時間接触させることができ、より多くの商品説明情報を携帯端末３に送信することができる（ステップＳ１４０）。
【００４２】
次に、商品ｍ１が持ち上がった状態（図５（ｄ））においては、商品ｍ１はバネ電極１１から離れ、トランシーバ９ａおよび９ｂ間の通信が成立しなくなるので、商品説明サーバ５からの商品説明情報の送信は完了する（ステップＳ１３０）
一方、携帯端末３は、トランシーバ９ａおよび９ｂ間の通信により、商品説明情報を受信すると、この商品説明情報を表示する（ステップＳ１５０，Ｓ１６０）。これにより、利用者は、商品説明情報を携帯端末４で視聴することができる。
【００４３】
従って、第２の実施の形態によれば、第１の実施の形態と同じ効果を得ることができる。また、これに加えて、利用者が商品ｍ１を持ち上げた場合でも、バネ電極１１を用いて生体通信の時間を稼ぐように構成されているので、確実に商品説明情報を利用者に提供することができる。
【００４４】
尚、第２の実施の形態においては、商品説明サーバ５が商品説明情報を携帯端末４に送信する契機をリレースイッチ１２の状態により判断しているが、第１の実施の形態と同様に、リレースイッチ１２を不要な構成とし、携帯端末３を用いて、該携帯端末３の信号に基づき商品説明サーバ５が判断してもよいものである。
【００４５】
＜第３の実施の形態＞
図７は、本発明の第３の実施の形態に係る商品説明システム３００の概略構成図である。図７に示す商品説明システム３００は、陳列棚として各商品ｍｉ（ｉ＝１，２，…，ｎ）が載せられたバネ電極１１ｉ（ｉ＝ａ，ｂ，…，ｎ；構成および作用はバネ電極１１と同一である）、バネ電極１１ｉと接続されたトランシーバ９ａ、該トランシーバ９ａと接続された商品説明サーバ６、並びにバネ電極１１ｉおよび商品説明サーバ５と接続されたリレースイッチ１２ｉ（ｉ＝ａ，ｂ，…，ｎ；構成および作用はリレースイッチ１２と同一）を有する構成となっており、携帯端末４を携行する利用者が商品ｍｉを持ち上げ始めようとするときは、トランシーバ９ａおよび９ｂ間で利用者の生体を電界伝達媒体とした通信が成立するとともに、バネ電極１１ｉのバネが伸びて、リレースイッチ１２ｉがバネ電極１１ｉの非導通状態を検知するので、これを契機に商品説明サーバ６が、利用者が持ち上げた商品ｍｉの商品説明情報を携帯端末４に送信するようになっている。即ち、商品説明システム３００は、複数の商品ｍｉの商品情報を送信制御する点が第２の実施の形態と異なっている。
【００４６】
ここで、本実施の形態におけるトランシーバ９ａおよび９ｂ間の利用者の生体を電界伝達媒体とした通信は、バネ電極１１ｉの伸びにより、バネ電極１１ｉと商品ｍｉとの接触時間をより長く保つことができるようになっているので、商品説明システム３００は、利用者が商品ｍｉを持ち上げようとする場合にも適用できるものとしたものである。尚、本実施の形態においては、上記実施の形態と異なる構成及び機能のみ説明し、その他の構成及び機能に関しては同一部分には同一符号を付して説明を省略する。
【００４７】
商品説明サーバ６は、詳しくは、複数の商品説明情報を記憶している商品説明情報記憶部６１と、商品説明情報記憶部６１を制御する制御部６２を備え、リレースイッチ１２ｉから回路Ｃ１ｉ（ｉ＝ａ，ｂ，…，ｎ）のオフ状態を検知すると、商品説明情報記憶部６１から該当する商品説明情報を取得して、トランシーバ９ａに送信するようになっている。尚、商品説明情報記憶部６１に記憶された各商品説明情報は、各バネ電極１１ｉ（リレースイッチ１２ｉ）と対応付けられて管理されているので、どのリレースイッチ１２ｉがオフ状態になったかを検知することで、送信すべき商品説明情報を取得できるものである。
【００４８】
これにより、利用者が商品ｍｉに触れ、かつ、商品ｍｉとバネ電極１１ｉが接しているときは、携帯端末４は、生体およびトランシーバ９ｂを介して、商品説明情報を受け取るようになっているので、利用者は携帯端末４を利用して、選択した商品ｍｉの商品説明情報を視聴することができる。
【００４９】
従って、第３の実施の形態によれば、第２の実施の形態と同じ効果を得ることができる。また、これに加えて、複数の種類の商品ｍｉを陳列した場合であっても、複数の商品ｍｉが載ったバネ電極１１ｉごとにリレースイッチ１２ｉを備え、商品説明サーバ６は、リレースイッチ１２ｉそれぞれのオフ状態を検知できるとともに、バネ電極１１ｉ（リレースイッチ１２ｉ）と各商品説明情報を対応させて管理しているので、利用者が選択した商品に応じた商品説明情報を提供することができる。
【００５０】
以上、本発明の実施の形態について説明してきたが、本発明の要旨を逸脱しない範囲において、本発明の実施の形態に対して種々の変形や変更を施すことができる。例えば、上記実施の形態においては、商品を電極に載せて陳列していたが、商品の陳列方法はこれに限定されず、例えば、電極とトランシーバと商品説明サーバから構成される商品説明システムを微細なＩＣタグ上に１チップ化し、該ＩＣタグを商品に貼付して陳列してもよいものである。この場合においても、携帯端末３を携行する利用者は、商品に触れることにより、商品説明情報を取得することが可能であり、携帯端末３上で商品説明を視聴することができる。
【図面の簡単な説明】
【００５１】
【図１】本発明の第１の実施の形態に係る商品説明システムの概略構成図である。
【図２】本発明の第１の実施の形態に係る商品説明システムに用いられるトランシーバの構成を説明する図である。
【図３】本発明の第１の実施の形態に係る商品説明システムの動作を説明するシーケンス図である。
【図４】本発明の第２の実施の形態に係る商品説明システムの概略構成図である。
【図５】本発明の第２の実施の形態に係る商品説明システムにおける各状態を説明する図である。
【図６】本発明の第２の実施の形態に係る商品説明システムの動作を説明するシーケンス図である。
【図７】本発明の第３の実施の形態に係る商品説明システムの概略構成図である。
【図８】トランシーバを介してウェアラブルコンピュータを人間に装着して使用する場合の例を示す説明図である。
【符号の説明】
【００５２】
１  電極
２，５，６  商品説明サーバ
３，４  携帯端末
４  記念撮影サーバ
７  コンピュータ
８  ＰＣ、サーバ
９  トランシーバ
１１  バネ電極
１２  リレースイッチ
２１，５１，６１  商品説明情報記憶部
２２，５２，６２  制御部
３１  コンピュータ
１００，２００，３００  商品説明システム
１１１  絶縁膜
１１２  上部電極
１１３  絶縁性バネ
１１４  下部電極
９０１  Ｉ／Ｏ回路
９０２  送信部
９０３  送受信電極
９０４  絶縁膜
９０５  電界検出光学部
９０６  信号処理回路
９０７  波形整形回路
９１０  受信部
【図１】
2005309521.tif 000003
【図２】
2005309521.tif 000004
【図３】
2005309521.tif 000005
【図４】
2005309521.tif 000006
【図５】
2005309521.tif 000007
【図６】
2005309521.tif 000008
【図７】
2005309521.tif 000009
【図８】
2005309521.tif 000010